(57)【要約】【課題】特許文献１には緩み防止ボルトについて提案されているものの、緩み防止ボルトに対して締め付けナット及び緩み止めナットを締め付ける方法や、工具について何等記載されていない。これらのナットを緩み防止ボルトに締め付ける場合には、締め付けナットを緩み防止ボルトに締め付けた後、緩み止めナットを締め付けなくてはならない。【解決手段】本発明のダブルナット締付工具１０は、締付用ナットＮ１を保持する略筒状のクラッチ部１１と、このクラッチ部１１上に軸芯を共有して配置され且つ緩み止め用ナットＮ２を保持する略筒状のソケット部１２と、クラッチ部１１とソケット部１２が相対回転可能に収納されたハウジング１３とを備え、ソケット部１２をクラッチ部１１とは独立回転可能に構成されている。【選択図】図１
2006167894.tif 000002
【特許請求の範囲】
【請求項１】
ピッチの粗い第１のナットとピッチの細かい第２のナットそれぞれを二重ネジ構造のボルトに締付けるダブルナット締付工具であって、第１のナットを保持する略筒状のクラッチ部と、このクラッチ部上に軸芯を共有して配置され且つ第２のナットを保持する略筒状のソケット部と、上記クラッチ部と上記ソケット部が相対回転可能に収納されたハウジングとを備えたことを特徴とするダブルナット締付工具。
【請求項２】
上記クラッチ部と上記ソケット部との間に、これら両者を連結し、解除するクラッチ機構を設け、且つ、上記クラッチ機機構は、上記クラッチ部との連結を解除し、上記ソケット部を上記クラッチ部とは独立回転可能に構成されていることを特徴とする請求項１に記載のダブルナット締付工具。
【請求項３】
上記クラッチ機構は、上記クラッチ部と上記ソケット部のいずれか一方に、周方向に所定間隔を空けて形成された複数の凹部と、これらの凹部内にそれぞれ弾力的に収納されたボールと、上記クラッチ部と上記ソケット部のいずれか他方に周方向に所定間隔を空けて形成され且つ上記ボールがそれぞれ弾力的に嵌まり込む複数の溝部を有することを特徴とする請求項１または請求項２に記載のダブルナット締付工具。
【請求項４】
上記第１のナットを保持する保持部は、上記クラッチ部の内周面の周方向に等間隔を空けて上記内周面から突出して配設された複数のボールを有し、上記第２のナットを保持する保持部は、上記ソケット部の内周面の周方向に等間隔を空けて上記内周面から突出して配設された複数のボールを有することを特徴とする請求項１〜請求項３のいずれか１項に記載のダブルナット締付工具。
【発明の詳細な説明】
【技術分野】
【０００１】
本発明は、ダブルナット締付工具に関し、更に詳しくは、二重ネジ構造の緩み止めボルトに、ピッチの異なる二種類のナットを締め付けるダブルナットタイプ用の締付工具に関するものである。
【背景技術】
【０００２】
従来、二つのワークを被締結材として締め付ける場合にはボルト、ナットが広く用いられている。特に振動の激しい部分に用いられるボルト、ナットは、振動によるナットの緩みが避けがたいものであった。そこで、従来から一本のボルトに締結用ナット及び緩み止め用ナットとして二つのナットを締め付けるダブルナット構造を採用し、緩み止め用ナットによって締結用ナットの緩み防止していた。しかし、ダブルナット構造でも、二つのナットは同一のピッチを有するため、振動や衝撃などによってナットが一旦緩んでしまうと、二つのナットはそれぞれボルトにおいて自由に回転できるため、緩み防止としては必ずしも万全ではなかった。
【０００３】
そこで、特許文献１では上述の問題を解決した緩み防止ボルトが提案されている。この緩み防止ボルトは、一本のボルトにピッチの異なる二種類の雄ネジが形成された二重ネジ構造を有している。そして、二重ネジ構造のボルトに二種類の雄ネジに対応する締め付けナットと緩み止めナットを順次締め付け、振動、衝撃などによるナットの共回りを確実に防止するものである。
【０００４】
【特許文献１】特開２００３−１８４８４８号公報
【発明の開示】
【発明が解決しようとする課題】
【０００５】
しかしながら、特許文献１には緩み防止ボルトについて提案されているものの、緩み防止ボルトに対して締め付けナット及び緩み止めナットを締め付ける工具について何等記載されていない。従って、これらのナットを緩み防止ボルトに締め付ける場合には、それまでのダブルナット構造と同様に、締め付けナットを緩み防止ボルトに締め付けた後、緩み止めナットを締め付けて緩み防止を行わなくてはならず、二度に渡るナットの締め付け作業が必要であり、締め付け工程が煩雑で作業効率が悪いという課題があった。
【０００６】
本発明は、上記課題を解決するためになされたもので、二重ネジ構造のボルトにピッチの異なる二種類のナットを一度の操作で締め付けることができ、締め付け作業の効率を格段に高めることができるダブルナット締付工具を提供することを目的としている。
【課題を解決するための手段】
【０００７】
本発明の請求項１に記載のダブルナット締付工具は、ピッチの粗い第１のナットとピッチの細かい第２のナットそれぞれを二重ネジ構造のボルトに締付けるダブルナット締付工具であって、第１のナットを保持する略筒状のクラッチ部と、このクラッチ部上に軸芯を共有して配置され且つ第２のナットを保持する略筒状のソケット部と、上記クラッチ部と上記ソケット部が相対回転可能に収納されたハウジングとを備えたことを特徴とするものである。
【０００８】
本発明の請求項２に記載のダブルナット締付工具は、請求項１に記載の発明において、上記クラッチ部と上記ソケット部との間に、これら両者を連結し、解除するクラッチ機構を設け、且つ、上記クラッチ機機構は、上記クラッチ部との連結を解除し、上記ソケット部を上記クラッチ部とは独立回転可能に構成されていることを特徴とするものである。
【０００９】
本発明の請求項３に記載のダブルナット締付工具は、請求項１または請求項２に記載の発明において、上記クラッチ機構は、上記クラッチ部と上記ソケット部のいずれか一方に、周方向に所定間隔を空けて形成された複数の凹部と、これらの凹部内にそれぞれ弾力的に収納されたボールと、上記クラッチ部と上記ソケット部のいずれか他方に周方向に所定間隔を空けて形成され且つ上記ボールがそれぞれ弾力的に嵌まり込む複数の溝部を有することを特徴とするものである。
【００１０】
本発明の請求項４に記載のダブルナット締付工具は、請求項１〜請求項３のいずれか１項に記載の発明において、上記第１のナットを保持する保持部は、上記クラッチ部の内周面の周方向に等間隔を空けて上記内周面から突出して配設された複数のボールを有し、上記第２のナットを保持する保持部は、上記ソケット部の内周面の周方向に等間隔を空けて上記内周面から突出して配設された複数のボールを有することを特徴とするものである。
【発明の効果】
【００１１】
本発明の請求項１〜請求項４に記載の発明によれば、二重ネジ構造のボルトにピッチの異なる二種類のナットを一度の操作で締め付けることができ、締め付け作業の効率を格段に高めることができるダブルナット締付工具を提供することができる。
【発明を実施するための最良の形態】
【００１２】
以下、図１〜図５に示す実施形態に基づいて本発明を説明する。尚、図１は本発明の一実施形態のダブルナット締付工具と二重ネジ構造のボルトとの関係を示す断面図、図２は図１に示すダブルナット締付工具を用いて二重ネジ構造のボルトにダブルナットを締め付けた状態を示す断面図、図３は図１に示すダブルナット締付工具のクラッチ部を示す断面図で、（ａ）は上部から見た平面図、（ｂ）は断面図、図４は図１に示すダブルナット締付工具のソケット部を示す断面図で、（ａ）は上部から見た平面図、（ｂ）は断面図、（ｃ）は貫通孔を通る断面図である。
【００１３】
本実施形態のダブルナット締付工具１０は、例えば図１に示すように、ワークＷ１、Ｗ２に挿入された二重ネジ構造の緩み防止ボルトＢにピッチの粗い第１のナット（以下、「締結用ナット」と称す。）Ｎ１とピッチの細かい第２のナット（以下、「緩み止め用ナット」と称す。）Ｎ２と螺合し、これら両者Ｎ１、Ｎ２を一回の操作で締付けるための工具である。
【００１４】
即ち、本実施形態のダブルナット締付工具１０は、図１に示すように、締結用ナットＮ１を保持する略筒状のクラッチ部１１と、このクラッチ部１１上に軸芯を共有して配置され且つ緩み止め用ナットＮ２を保持する略筒状のソケット部１２と、クラッチ部１１とソケット部１２が相対回転可能に収納されたハウジング１３と、を備えている。そして、クラッチ部１１とソケット部１２との間には、これら両者１１、１２を連結し、この連結を解除するクラッチ機構１４が設けられ、このクラッチ機構１４は後述のようにソケット部１２とクラッチ部１１とを連結した時にソケット部１２の回転力を伝達し、これら両者１１、１２の連結を解除した時にソケット部１２のみが回転するようにしてある。
【００１５】
クラッチ部１１は、図１、図３の（ａ）、（ｂ）に示すように、筒状小径部１１Ａと、筒状小径部１１Ａに上方に軸芯を共有して連設された筒状大径部１１Ｂと、これら両者１１Ａ、１１Ｂの境界として内周面に沿って形成された水平段部１１Ｃとを有し、筒状小径部１１Ａで締結用ナットＮ１を掴み、筒状大径部１１Ｂ内でソケット部１２を保持するようにしてある。つまり、筒状小径部１１Ａは締結用ナットＮ１の保持部として形成され、その内径は締結用ナットＮ１の平面の最大寸法より僅かに大きく形成され、筒状大径部１１Ｂの内径はソケット部１２の下部を収納できる大きさに形成されている。そこで、以下では、必要に応じてクラッチ部１１の筒状小径部１１Ａを保持部１１Ａと称する。
【００１６】
また、筒状小径部１１Ａには例えば周方向に１２０°ずつ空けた三箇所に貫通孔１１Ｄが形成され、これらの貫通孔１１Ｄ内にはそれぞれ締結用ナットＮ１を掴むためのボール１１Ｅが収納されている。これらの貫通孔１１Ｄはそれぞれ筒状小径部１１Ａの下端から同一高さに形成され、それぞれの内端に形成された縮径部によってボール１１Ｅが貫通孔１１Ｄから筒状小径部１１Ａの内側へ飛び出さないようになっている。そして、これらのボール１１Ｅは、その一部が筒状小径部１１Ａの内周面から突出し、クラッチ部１１Ａの回転時に筒状小径部１１Ａ内にある締結用ナットＮ１の三面の端部にそれぞれ接触して締結用ナットＮ１を掴んで回転させるようにしてあり、しかもハウジング１３によって貫通孔１１Ｄ内に拘束されている。三箇所のボール１１Ｅによって挟持された締結用ナットＮ１は、三箇所の側面の端部が筒状小径部１１Ａ内で３箇所のボール１１Ｅに接触して僅かの角度しか回転できないようになっている。
【００１７】
また、筒状大径部１１Ｂ内にはソケット部１２の下部が収納され、水平段部１１Ｃでソケット部１２の下端を支承し、筒状大径部１１Ｂによってソケット部１２を回転可能に保持している。
【００１８】
ソケット部１２は、図１、図４（ａ）〜（ｃ）に示すように、筒状大径部１２Ａと、筒状大径部１２Ａの上方に軸芯を共有して連設された筒状小径部１２Ｂと、筒状大径部１２Ａの上部にこれより大径に形成され且つクラッチ機構１４の作動部を内蔵するフランジ部１２Ｃとを有し、筒状大径部１２Ａで緩み止め用ナットＮ２を掴むと共にクラッチ機構１４を介してクラッチ部１１と連結し、あるいはクラッチ部１１との連結を解除するようにしてある。筒状大径部１２Ａの下部には緩み止め用ナットＮ２の保持部１２Ｄがクラッチ部１１の筒状小径部１１Ａと同様に構成され、この保持部１２Ｄの内径は緩み止め用ナットＮ２の最大寸法より僅かに大きく形成されている。また、筒状大径部１２Ａの外径はクラッチ部１１の筒状大径部１１Ｂの内径より僅かに小径に形成され、筒状大径部１２Ａ内に筒状大径部１１Ａが嵌合するようになっている。更に、筒状大径部１２Ｂの保持部１２Ｄの上端は縮径した水平段部が全周に渡って形成され、この水平段部が緩み止め用ナットＮ２の係止部１２Ｅとして形成されている。
【００１９】
また、図１に示すように、筒状大径部１２Ａの保持部１２Ｄとクラッチ部１１の保持部１１Ａは、それぞれ実質的に同一内径に形成され、緩み止め用ナットＮ２が保持部１２Ｄから保持部１１Ａを経由して抜けるように形成されている。そして、これらの保持部１１Ａ、１２Ｄは、締結用ナットＮ１と緩み止め用ナットＮ２とを緩み防止ボルトＢに対して一緒に締め付ける時に、締結用ナットＮ１が緩み防止ボルトＢに沿って速く進んで緩み止め用ナットＮ２から所定の距離だけ離間すると締結用ナットＮ１が保持部１１Ａのボール１１Ｅから外れて保持部１１Ａから開放されると、後述のようにクラッチ機構１４の働きでクラッチ部１１が締結用ナットＮ１を締め付けることなく、ソケット部１２と一緒に回転して緩み止め用ナットＮ２のみを締め付け、ソケット部１１が緩み防止ボルトＢに沿って進むと、再びクラッチ部１１のボール１１Ｅで締結用ナットＮ１を掴んで両ナットＮ１、Ｎ２を一時的に同時に締め付け、以降この動作を繰り返すようにしてある。
【００２０】
図１、図４の（ａ）〜（ｃ）に示すように、筒状大径部１２Ａの保持部１２Ｄにはクラッチ部１１の保持部１１Ａと同様に周方向に１２０°ずつ空けた三箇所に貫通孔１２Ｆが形成され、それぞれの貫通孔１２Ｆ内に緩み止め用ナットＮ２を掴むためのボール１２Ｇが収納されている。これらのボール１２Ｇは、貫通孔１２Ｆ内端の縮径部とクラッチ部１１の筒状大径部１１Ｂによって貫通孔１２Ｆ内に封じ込まれている。三箇所のボール１２Ｇによって挟持された緩み止め用ナットＮ２は、ソケット部１２の回転時に、三箇所の側面の端部が保持部１２Ｄ内で３箇所のボール１２Ｇに接触して僅かの角度しか回転できないようになっている。これらのボール１２Ｇは、クラッチ部１１のボール１２Ｅとは周方向に６０°ずらして配置されている。
【００２１】
フランジ部１２Ｃの外径はクラッチ部１１の筒状大径部１１Ｂの外径と実質的に同一寸法に形成され、これら両者でハウジング１３の内径より僅かに小径の外周面が形成されている。また、ハウジング１３は、図１に示すように、ハウジング本体１３Ａと、ハウジング本体１３Ａの下端に連設された縮径部１３Ｂとからなり、ハウジング本体１３Ａ内にクラッチ部１１及びソケット部１２が収納され、ハウジング本体１３Ａと縮径部１３Ｂの境界に形成された水平段部１３Ｃでクラッチ部１１の筒状大径部１１Ｂ外側の下面が支承されていると共に、クラッチ部１１の筒状小径部１１Ａが縮径部１３Ｂと接触した状態で突出している。従って、クラッチ部１１及びソケット部１２はハウジング１３内にガタツクことなく収納されている。
【００２２】
また、フランジ部１２Ｃには、図１、図４の（ａ）〜（ｃ）に示すように、例えば周方向に１２０°ずつ空けた三箇所に上下方向に貫通するネジ孔１２Ｈが形成され、このネジ孔１２Ｈ内にクラッチ機構１４が内蔵されている。
【００２３】
即ち、クラッチ機構１４は、三箇所のネジ孔１２Ｈとその上部で螺合する調整ネジ１４Ａと、これらの調整ネジ１４Ａによって下方に形成された凹部内にそれぞれ収納されたコイルスプリング１４Ｂと、これらのコイルスプリング１４Ｂによってそれぞれ下方に付勢されたクラッチ用ボール１４Ｃと、これらのボール１４Ｃがそれぞれ弾力的に嵌入しソケット部１２とクラッチ部１１とを連結するようにクラッチ部１１の筒状大径部１１Ｂの上端面に形成された１２箇所のクラッチ用溝１４Ｄと、を有し、締結用ナットＮ１及び緩み止め用ナットＮ２の種類に応じて調整ネジ１４Ａによってコイルスプリング１４Ｂの弾力を調整し、クラッチ用ボール１４Ｃの付勢力を調整できるようになっている。これらのクラッチ用溝１４Ｄは、クラッチ用ボール１４Ｃの数よりも多く形成されている。
【００２４】
緩み防止ボルトＢに対して締結用ナットＮ１及び緩み止め用ナットＮ２を一緒に締め付ける時に、クラッチ機構１４のクラッチ用ボール１４Ｃがソケット部１２側からクラッチ用溝１４Ｄに嵌入してソケット部１２とクラッチ部１１とが連結したクラッチオンの状態であり、この状態でソケット部１２の回転トルクをクラッチ部１１に伝達する。また、クラッチ部１１による締結用ナットＮ１の締結を終了し、ソケット部１２による緩み止め用ナットＮ２の締結を終了していない時には、クラッチ機構１４がクラッチオンとクラッチオフを繰り返しながらクラッチ部１１によって緩み止め用ナットＮ２の締結のみを行う。
【００２５】
即ち、緩み止め用ナットＮ２から離間した状態で締結用ナットＮ１の締め付けを終了すると、クラッチ部１１は締結用ナットＮ１を掴み、それ以上回転しないため、ソケット部１２の回転力がクラッチ機構１４のコイルスプリング１４Ｂの付勢力に打ち勝ってクラッチ用ボール１４Ｃがクラッチ用溝１４Ｄからクラッチ部１１の筒状大径部１１Ｂの上端面へ乗り上げ、クラッチオフの状態になり、ソケット部１２のみが回転して緩み止め用ナットＮ２のみを締め付ける。クラッチ用ボール１４Ｃが再びクラッチ用溝１４Ｄに嵌入しクラッチオンになってもソケット部１２の回転力がコイルスプリング１４Ｂの付勢力に勝るため、クラッチ機構１４がクラッチオフになって緩み止め用ナットＮ２を締め付ける。緩み止め用ナットＮ２の締め付け終了まで、クラッチ機構１４はオン、オフを繰り返す。緩み止め用ナットＮ２が締結用ナットＮ１と接触し、緩み止め用ナットＮ２の締め付けが終了すると、ソケット部１２はそれ以上回転せず、締結用ナットＮ１及び緩み止め用ナットＮ２双方の締め付けが終了したことになる。
【００２６】
また、フランジ部１２Ｃの上面にはカラー部材１５が装着され、カラー部材１５によってフランジ部１２Ｃの上面を被覆している。カラー部材１５の内径は筒状小径部１２Ｂの外径よりも僅かに大径に形成され、その外径はハウジング１３の内径より僅かに小径に形成されている。更に、ハウジング１３の上端部内周面にはカラー部材１５との間に僅かの隙間を空けて溝が全周に渡って形成され、この溝内にストップリング１６が装着されている。このストップリング１６は、ハウジング１３内に装着されたクラッチ部１１及びソケット部１２をハウジング１３から抜け出さないようにしている。
【００２７】
更に、ソケット部１２の上部にはダブルナット締付工具１０を操作するための操作具（図示せず）を連結するための連結孔１２Ｉが形成されている。この連結孔１２Ｉは平面形状が略正方形に形成され、操作具を連結することによってダブルナット締結具１０を回転できるようになっている。操作具は手動方式であっても電動方式であっても良い。従って、ダブルナット締付工具１０を操作する場合には、操作具の連結部をソケット部１２の連結孔１２Ｉに差し込み、操作具とダブルナット締付具１０とを連結し、操作具を介してダブルナット締付具１０を回転操作し、一度の操作で締結用ナットＮ１と緩み止め用ナットＮ２を緩み防止ボルトＢにそれぞれ締め付けるようにしてある。
【００２８】
次いで、本実施形態のダブルナット締付工具１０の一使用態様について説明する。まず、例えば図１に示すワークＷ１、Ｗ２に装着された緩み防止ボルトＢに締結用ナットＮ１を装着した後、緩み止め用ナットＮ２を装着する。次いで、ダブルナット締付工具１０の保持部１１Ａ、１２Ｄを上下のナットＮ２、Ｎ１に嵌合させる。
【００２９】
然る後、ダブルナット締付工具１０の連結孔１２Ｉを介して操作具を連結した後、操作具を用いてダブルナット締付工具１０を回転させると、締結用ナットＮ１及び緩み防止ボルトＢが緩み防止ボルトＢに沿って同時に螺進する。この際、締結用ナットＮ１は、緩み止め用ナットＮ２よりピッチが粗いため、緩み止め用ナットＮ２より速く進み、緩み止め用ナットＮ２から徐々に離間し、締結用ナットＮ１がクラッチ部１１の保持部１１Ａから外れる。すると、クラッチ部１１はソケット部１２と一緒に回転し、緩み止め用ナットＮ２のみを締め付ける。
【００３０】
ソケット１２によって緩み止め用ナットＮ２の締結が進むと、再度クラッチ部１１が締結用ナットＮ１に噛み込んで締結用ナットＮ１を掴み、締結用ナットＮ１と緩み止め用ナットＮ２を一緒に締結する。このように緩み止め用ナットＮ２を連続的に締め付ける間に締結用ナットＮ１のみの締め付けを間欠的に停止ながら、締結用ナットＮ１と緩み止め用ナットＮ２の締め付けが進行すると、遂には締結用ナットＮ１の締め付けが図２に示すように終了する。締結用ナットＮ１の締め付けが終了すると、クラッチ部１１はそれ以上回転せず、クラッチ機構１４のオン、オフを繰り返しながらソケット部１２のみで緩み止め用ナットＮ２を締め付ける。緩み止め用ナットＮ２の締め付けを終了すると両ナットＮ１、Ｎ２の締め付けが完了する。締結用ナットＮ１と緩み止め用ナットＮ２の締め付けが終了すると、これら両ナットＮ１、Ｎ２間の端面同士が揃っていなくても、ダブルナット締付工具１０を両ナットＮ１、Ｎ２から簡単に取り外すことができる。
【００３１】
以上説明したように本実施形態によれば、ピッチの粗い締結用ナットＮ１を保持する略筒状のクラッチ部１１と、このクラッチ部１１上に軸芯を共有して配置され且つピッチの細かい緩み止め用ナットＮ２を保持する略筒状のソケット部１２と、クラッチ部１１とソケット部１２が相対回転可能に収納されたハウジング１３とを備えているため、締結用ナットＮ１と緩み止め用ナットＮ２を緩み防止ボルトＢに対して一回の操作で一緒に締め付けることができ、従来のように締結用ナットと緩み止め用ナットを２回に分けて締め付けるという煩雑な締結操作が不要で、ダブルナットの締め付け作業効率を格段に高めることができる。
【００３２】
また、本実施形態によれば、クラッチ部１１とソケット部１２との間に、これら両者１１、１２を連結し、解除するクラッチ機構１４を設け、且つ、クラッチ機機構１４は、クラッチ部１１との連結を解除し、ソケット部１２をクラッチ部１１とは独立回転可能に構成されているため、締結用ナットＮ１を締め付けた後、クラッチ機構１４がオン、オフを繰り返すことによって緩み止め用ナットＮ２のみを締め付け、これら両ナットＮ１、Ｎ２を緩み防止ボルトＢに対して確実に締め付けることができる。
【００３３】
また、本実施形態によれば、クラッチ機構１４は、ソケット部１２のフランジ部１２Ｃに、周方向に所定間隔を空けて形成された三箇所の凹部と、これらの凹部内に収納されたコイルスプリング１４Ｂと、これらのコイルスプリング１４Ｂによって弾力的に付勢されるクラッチ用ボール１４Ｃと、クラッチ部１１の筒状大径部１１Ｂの上端面に周方向に所定間隔を空けて形成され且つクラッチ用ボール１４Ｃがそれぞれ弾力的に嵌まり込む１２箇所のクラッチ用溝部１４Ｄを有するため、締結用ナットＮ１を緩み防止ボルトＢに締め付け後であっても、緩み止め用ナットＮ２のみを緩み防止ボルトＢに締め付けることができ、両ナットＮ１、Ｎ２を確実に緩み防止ボルトＢに締め付けることができる。
【００３４】
また、本実施形態によれば、締結用ナットＮ１を保持する保持部は、クラッチ部１１の保持部１１Ａ内周面の周方向に等間隔を空けて内周面から突出して配設された３個のボール１１Ｅを有し、緩み止め用ナットＮ２を保持する保持部は、ソケット部１２の保持部１２Ｄ内周面の周方向に等間隔を空けて内周面から突出して配設された３個のボール１２Ｇを有するため、クラッチ部１１及びソケット部１２で締結用ボルトＮ１及び緩み止め用ナットＮ２をそれぞれ保持して確実に締め付けることができる。
【００３５】
尚、本発明は上記実施形態に何等制限されるものではなく、例えば、クラッチ機構１４をクラッチ部１１側に設けても良く、また、クラッチ用ボール１４Ｃを弾力的に付勢するコイルスプリング１４Ｂに代えて他のゴム等の弾性部材を用いても良い。また、クラッチ部１１の保持部１１Ａとソケット部１２の保持部１２Ｄで形成される空間を締結用ナットＮ１と緩み止め用ナットＮ２とを重ねた高さと実質的に同一にしても良い。要は、本発明の趣旨に反しない限り、本発明の構成要素を適宜設計変更したものであれば全て本発明に包含される。また、ダブルナット締付工具１０の使用態様は上記実施形態に何等制限されるものではない。
【産業上の利用可能性】
【００３６】
本発明は、二重ネジ構造からなる緩み止めボルトにピッチの粗い締結用ナットとピッチの細かい緩み止め用ナットを一緒に締め付ける際に使用するダブルナット締付工具として好適に利用することができる。
【図面の簡単な説明】
【００３７】
【図１】本発明の一実施形態のダブルナット締付工具と二重ネジ構造のボルトとの関係を示す断面図である。
【図２】図１に示すダブルナット締付工具を用いて二重ネジ構造のボルトにダブルナットを締め付けた状態を示す断面図である。
【図３】図１に示すダブルナット締付工具のクラッチ部を示す断面図で、（ａ）は上部から見た平面図、（ｂ）は断面図である。
【図４】は図１に示すダブルナット締付工具のソケット部を示す断面図で、（ａ）は上部から見た平面図、（ｂ）は断面図、（ｃ）は貫通孔の中心を通る断面図である。
【符号の説明】
【００３８】
１０    ダブルナット締付工具
１１    クラッチ部
１１Ａ  筒状大径部、保持部
１２    ソケット部
１２Ｄ  保持部
１３    ハウジング
１３Ａ  ストップリング
１３Ｂ  カラー
１４    クラッチ機構
１４Ｂ  コイルスプリング（弾性部材）
１４Ｃ  クラッチ用ボール（ボール）
１４Ｄ  クラッチ用溝（溝部）
Ｂ      緩み防止ボルト（二重ネジ構造のボルト）
Ｎ１    締結用ボルト（第１のナット）
Ｎ２    緩み止め用ナット（第２のナット）
【図１】
2006167894.tif 000003
【図２】
2006167894.tif 000004
【図３】
2006167894.tif 000005
【図４】
2006167894.tif 000006